(57)【要約】  【課題】  平面板状の構造体において、未使用時には、使用時の１／４程度の大きさに容易に折り畳むことができ、使用時には容易に展開することができる構造体を提供する。  【解決手段】  第一板材１１〜第三板材１３の各一の面の長方形の一の辺が一の直線に沿うように、第一板材１１〜第三板材１３を隣接して配置し、隣接する第一板材１１及び第二板材１２と、第二板材１２及び第三板材１３とをヒンジ結合し、第四板材１４〜第六板材１６の各一の面の長方形の一の辺が前記一の直線に沿うと共に、第四板材１４及び第三板材１３と、第一板材１１及び第六板材１６とが隣接するように、第四板材１４〜第六板材１６を隣接して配置し、隣接する第四板材１４及び第五板材１５と、第五板材１５及び第六板材１６と、第四板材１４及び第三板材１３と、第一板材１１及び第六板材１６とをヒンジ結合する。  【選択図】  図４
2006321049.tif 000002
【特許請求の範囲】
【請求項１】
長方形を一の面とする板材である第一板材と第二板材と第三板材と第四板材と第五板材と第六板材とを具備し、
前記第一板材の一の面と前記第四板材の一の面との大きさが略同一であり、前記第二板材の一の面と前記第五板材の一の面との大きさが略同一であり、前記第三板材の一の面と前記第六板材の一の面との大きさが略同一であり、
前記第一板材と前記第二板材と前記第三板材とのそれぞれの一の面の長方形の一の辺が一の直線に沿うように、前記第一板材と前記第二板材と前記第三板材とを隣接して配置し、前記隣接する前記第一板材と前記第二板材とをヒンジ結合すると共に、前記隣接する前記第二板材と前記第三板材とをヒンジ結合し、
前記第四板材と前記第五板材と前記第六板材とのそれぞれの一の面の長方形の一の辺が前記一の直線に沿うと共に、前記第四板材と前記第三板材とが隣接し、前記第一板材と前記第六板材とが隣接するように、前記第四板材と前記第五板材と前記第六板材とを隣接して配置し、前記隣接する前記第四板材と前記第五板材とをヒンジ結合すると共に、前記隣接する前記第五板材と前記第六板材とをヒンジ結合し、さらに、前記隣接する前記第四板材と前記第三板材とをヒンジ結合すると共に、前記隣接する前記第一板材と前記第六板材とをヒンジ結合することを特徴とする構造体。
【請求項２】
前記第一板材と前記第四板材とは、一の長方形の相似形であって当該一の長方形の１／４の面積を有する長方形を一の面とする板材であり、
前記第二板材と前記第三板材と前記第五板材と前記第六板材とは、前記一の長方形の１／４の面積を有する長方形を二分割した長方形を一の面とする板材であり、
前記第一板材と前記第二板材と前記第三板材と前記第四板材と前記第五板材と前記第六板材とのそれぞれの一の面で長方形を形成することを特徴とする請求項１に記載の構造体。
【請求項３】
前記第一板材と前記第四板材とは、一の長方形の相似形であって当該一の長方形の１／４の面積を有する長方形を一の面とする板材であり、
前記第二板材と前記第三板材と前記第五板材と前記第六板材とは、前記一の長方形の１／４の面積を有する長方形を二分割した長方形を一の面とする板材であり、
前記第一板材と前記第二板材と前記第三板材と前記第四板材と前記第五板材と前記第六板材とのそれぞれの一の面で長方形を形成し、
前記形成される一の面の反対側の面である他の面側のみに折り畳めるように前記第一板材と前記第二板材とをヒンジ結合する第一ヒンジと、
前記形成される一の面側のみに折り畳めるように前記第二板材と前記第三板材とをヒンジ結合する第二ヒンジと、
前記他の面側のみに折り畳めるように前記第三板材と前記第四板材とをヒンジ結合する第三ヒンジと、
前記他の面側のみに折り畳めるように前記第四板材と前記第五板材とをヒンジ結合する第四ヒンジと、
前記形成される一の面側のみに折り畳めるように前記第五板材と前記第六板材とをヒンジ結合する第五ヒンジと、
前記他の面側のみに折り畳めるように前記第六板材と前記第一板材とをヒンジ結合する第六ヒンジと、
を有することを特徴とする請求項１に記載の構造体。
【請求項４】
前記第一板材と前記第二板材と前記第三板材と前記第四板材と前記第五板材と前記第六板材とのそれぞれの一の面で長方形が形成されている場合に、前記第一ヒンジ及び前記第四ヒンジと、前記第三ヒンジ及び前記第六ヒンジとを固定するヒンジ固定手段を有することを特徴とする請求項３に記載の構造体。
【請求項５】
前記形成される一の面は、筆記体によって記録が可能な表示面であり、
前記構造体は、折り畳み式表示具であることを特徴とする請求項３または請求項４に記載の構造体。
【請求項６】
前記他の面の四隅には、脚部を取付ける取付部が設けられ、
前記構造体は、折り畳み式テーブルであることを特徴とする請求項３または請求項４に記載の構造体。
【発明の詳細な説明】
【技術分野】
【０００１】
本発明は、工事現場で使用される黒板、ホワイトボード等の構造体に関する。
【背景技術】
【０００２】
従来は、建築・土木・道路工事等の工事現場において、工事名、工種、工事場所等の工事内容を表示する工事現場用黒板が使用されている。この工事現場用黒板は、工事現場における写真撮影等に使用されると共に、建築現場に係る作業員および周辺の人達に工事内容を伝達する役割を有するものである。このため、表示内容を見易くするために、工事現場においては、比較的大きい工事現場用黒板が使用されることが多い。
【０００３】
ところで、工事現場において工事現場用黒板を使用する場合には、他の工事用具と同様に、工事現場に工事現場用黒板を運ぶ必要があるが、工事現場用黒板が比較的大きい場合には、工事現場用黒板の搬送が煩雑であるという問題がある。特に、比較的規模が小さい工事現場においては、人が工事現場用黒板を手で持って運ぶ場合がある。このように、工事道具を運ぶ手段が限られている場合には、黒板の搬送が特に煩雑であるという問題がある。
【０００４】
上記問題を解決するために、特許文献１〜３のそれぞれには、未使用時には板部材を二つ折に折り畳むことによってコンパクトにし、使用時には展開し使用することができる筆記用ボード等が開示されている。このように未使用時には板部材を二つ折に折り畳むことによって、筆記用ボード等の持ち運びを比較的容易にすることができる。
【特許文献１】特開平８−１６９１９８号公報
【特許文献２】特開平８−２１６５９５号公報
【特許文献３】実用新案登録第３００６３８３号公報
【発明の開示】
【発明が解決しようとする課題】
【０００５】
ところで、工事現場において使用される工事現場用黒板のサイズは、６００×４５０ｃｍの大きさが標準サイズとして使用される場合が多い。この場合に、特許文献１〜３に開示された技術を用いて工事現場用黒板を二つ折りにした場合には、３００×４５０ｃｍの大きさにすることが可能である。
【０００６】
しかし、比較的規模が小さい工事現場において使用するために、６００×４５０ｃｍの工事現場用黒板を人が手で持って運ぶような場合において、この工事現場用黒板を二つ折りにして３００×４５０ｃｍのサイズにしたとしても、搬送が煩雑である場合が多い。
【０００７】
例えば、６００×４５０ｃｍの工事現場用黒板を工事現場に運ぶ場合に、Ａ４サイズの書類の収納が可能なバッグに、この工事現場用黒板を入れることができれば、持ち運びが容易である。
【０００８】
本発明は、平面板状の構造体において、未使用時には、使用時の半分の大きさよりもさらに小さく容易に折り畳むことができると共に、使用時には容易に展開することができる構造体を提供することを目的とする。
【課題を解決するための手段】
【０００９】
本発明は、例えば、図１〜５に示すように、長方形を一の面とする板材である第一板材１１と第二板材１２と第三板材１３と第四板材１４と第五板材１５と第六板材１６とを具備し、第一板材１１の一の面と第四板材１４の一の面との大きさが略同一であり、第二板材１２の一の面と第五板材１５の一の面との大きさが略同一であり、第三板材１３の一の面と第六板材１６の一の面との大きさが略同一であり、第一板材１１と第二板材１２と第三板材１３とのそれぞれの一の面の長方形の一の辺が一の直線に沿うように、第一板材１１と第二板材１２と第三板材１３とを隣接して配置し、隣接する第一板材１１と第二板材１２とをヒンジ結合すると共に、隣接する第二板材１２と第三板材１３とをヒンジ結合し、第四板材１４と第五板材１５と第六板材１６とのそれぞれの一の面の長方形の一の辺が前記一の直線に沿うと共に、第四板材１４と第三板材１３とが隣接し、第一板材１１と第六板材１６とが隣接するように、第四板材１４と第五板材１５と第六板材１６とを隣接して配置し、隣接する第四板材１４と第五板材１５とをヒンジ結合すると共に、隣接する第五板材１５と第六板材１６とをヒンジ結合し、さらに、隣接する第四板材１４と第三板材１３とをヒンジ結合すると共に、隣接する第一板材１１と第六板材１６とをヒンジ結合することを特徴とする構造体である。なお、本明細書において、長方形は、正方形を含むものとする。また、第一板材１１〜第六板材１６のそれぞれは、第一板材１１〜第六板材１６のそれぞれが有する頂角のうちの少なくとも１の頂角が、面取り加工、または丸み加工されているものを含むものとする。また、略同一は、同一及びほぼ同一を含む。
【００１０】
なお、第一板材１１と第四板材１４とは、一の長方形の相似形であって当該一の長方形のほぼ１／４（略４／１）の面積を有する長方形を一の面とする板材であり、第二板材１２と第三板材１３と第五板材１５と第六板材１６とは、前記一の長方形のほぼ１／４（略４／１）の面積を有する長方形を二分割した長方形を一の面とする板材であり、第一板材１１と第二板材１２と第三板材１３と第四板材１４と第五板材１５と第六板材１６とのそれぞれの一の面で前記一の長方形を形成することが好ましい。
【００１１】
また、本発明は、例えば、図１〜５に示すように、前記形成される一の面の反対側の面である他の面側のみに折り畳めるように第一板材１１と第二板材１２とをヒンジ結合する第一ヒンジ２１と、前記形成される一の面側のみに折り畳めるように第二板材１２と第三板材１３とをヒンジ結合する第二ヒンジ２２と、前記他の面側のみに折り畳めるように第三板材１３と第四板材１４とをヒンジ結合する第三ヒンジ２３と、前記他の面側のみに折り畳めるように第四板材１４と第五板材１５とをヒンジ結合する第四ヒンジ２４と、前記形成される一の面側のみに折り畳めるように第五板材１５と第六板材１６とをヒンジ結合する第五ヒンジ２５と、前記他の面側のみに折り畳めるように第六板材１６と第一板材１１とをヒンジ結合する第六ヒンジ２６とを有する。
【００１２】
さらに、本発明は、例えば、図１に示すように、第一板材１１と第二板材１２と第三板材１３と第四板材１４と第五板材１５と第六板材１６とのそれぞれの一の面で長方形が形成されている場合に、第一ヒンジ２１及び第四ヒンジ２４と、第三ヒンジ２３及び第六ヒンジ２６とを固定するヒンジ固定手段（第一固定部材３１、第二固定部材３２）を有する。
【００１３】
また、本発明は、例えば、図１〜５に示すように、前記形成される一の面を、筆記体によって記録が可能な表示面とする折り畳み式表示具（黒板等）とすることができる。さらに、本発明は、例えば、図６に示すように、前記他の面の四隅に、脚部を取付ける取付部を設け、折り畳み式テーブルとすることができる。
【発明の効果】
【００１４】
本発明によれば、平面板状の構造体において、未使用時には、使用時の半分よりもさらに小さく容易に折り畳むことができると共に、使用時には容易に展開することができる。例えば、６００×４５０ｃｍの工事現場用黒板を工事現場に運ぶ場合に、持ち運びが容易であると共に、使用時には展開が容易である。
【発明を実施するための最良の形態】
【００１５】
以下、本発明の実施の形態である構造体について、図面を参照して詳細に説明する。
【００１６】
［第１の実施の形態］
図１〜５は、本発明の第１の実施の形態である折り畳み式黒板１０の外観を示す斜視図である。
【００１７】
折り畳み式黒板１０は、第一板材１１と、第二板材１２と、第三板材１３と、第四板材１４と、第五板材１５と、第六板材１６と、第一枠材１１ａと、第二枠材１２ａと、第三枠材１３ａと、第四枠材１４ａと、第五枠材１５ａと、第六枠材１６ａと、第一ヒンジ２１と、第二ヒンジ２２と、第三ヒンジ２３と、第四ヒンジ２４と、第五ヒンジ２５と、第六ヒンジ２６と、第一固定部材３１と、第二固定部材３２とを有する。
【００１８】
第一板材１１〜第六板材１６は、木材で構成されている板状部材であって、チョーク等で記入することができる一の面（表示面）と、第一枠材１１ａ〜第六枠材１６ａが設けられている他の面（裏面）とを具備する。第一板材１１、第四板材１４の各一の面の大きさは同一（または略同一）である。第二板材１２、第三板材１３、第五板材１５、第六板材１６の各一の面の大きさは、第一板材１１、第四板材１４の各一の面の大きさの１／２（または約１／２）の大きさである。折り畳み式黒板１０を展開した場合に、第一板材１１〜第六板材１６のそれぞれの一の面が表示面４０を構成し、第一板材１１〜第六板材１６のそれぞれの他の面が裏面５０を構成する。工事現場等で折り畳み式黒板１０を使用する場合、折り畳み式黒板１０を展開した状態で、折り畳み式黒板１０の表示面４０にチョーク等で記入する。なお、第一板材１１〜第六板材１６、第一枠材１１ａ〜第六枠材１６ａのそれぞれの頂角のうちの少なくとも１の頂角を、面取り加工、または丸み加工するようにしてもよい。
【００１９】
第一枠材１１ａ〜第六枠材１６ａは、第一板材１１〜第六板材１６の裏面のそれぞれに設けられた木材で構成されている部材であって、第一ヒンジ２１〜第六ヒンジ２６によって所定の部分が連結されている。
【００２０】
第一ヒンジ２１〜第六ヒンジ２６は、第一枠材１１ａ〜第六枠材１６ａを所定の部分で連結し、２の板材をヒンジ結合するものである。具体的には、図４に示すように、第一ヒンジ２１は、第一板材１１と第二板材１２とを裏面側のみに折り畳むことができるようにヒンジ結合する蝶番である。また、第二ヒンジ２２は、第二板材１２と第三板材１３とを表示面側のみに折り畳むことができるようにヒンジ結合する蝶番である。
【００２１】
また、第三ヒンジ２３は、第三板材１３と第四板材１４とを裏面側のみに折り畳むことができるようにヒンジ結合する蝶番である。また、第四ヒンジ２４は、第四板材１４と第五板材１５とを裏面側のみに折り畳むことができるようにヒンジ結合する蝶番である。また、第五ヒンジ２５は、第五板材１５と第六板材１６とを表示面側のみに折り畳むことができるようにヒンジ結合する蝶番である。また、第六ヒンジ２６は、第六板材１６と第一板材１１とを裏面側のみに折り畳むことができるようにヒンジ結合する蝶番である。なお、図４において、第一ヒンジ２１、第二ヒンジ２２、第五ヒンジ２５については、直接図示していないが、他のヒンジと同様に、各枠材に取付けられている。
【００２２】
本実施の形態では、各枠材の蝶番を取付ける部分を凹形状とし、この凹形状とした凹部に蝶番を取付ける。このようにすることによって、折り畳み式黒板１０を展開した場合において、表示面４０に発生する第一板材１１〜第六板材１６のそれぞれの隙間を小さくすることができる。
【００２３】
第一固定部材３１と、第二固定部材３２とは、折り畳み式黒板１０を展開した場合に、この展開した状態を保持するために、各板材の回動を防止する固定部材である。つまり、第一固定部材３１と、第二固定部材３２とは、各板材のそれぞれの一の面によって長方形の一の面が形成されている場合に、第一ヒンジ２１及び第四ヒンジ２４と、第三ヒンジ２３及び第六ヒンジ２６とを固定するヒンジ固定手段の例である。
【００２４】
第一固定部材３１は、第一板材１１の裏面において、第一枠材１１ａの孔１１ａ１と系止部１１ｂとにスライド可能に設けられている。また、第一固定部材３１は、系止部１１ｂに設けられた固定ネジで固定される。折り畳み式黒板１０を展開して使用する場合には、第一固定部材３１を矢印３１ａ方向にスライドさせ、第一固定部材３１を第五枠材１５ａの孔１５ａ１に挿入した状態で、系止部１１ｂに設けられた固定ネジで第一固定部材３１を固定することによって、第三ヒンジ２３及び第六ヒンジ２６の回動を阻止し、折り畳み式黒板１０を展開した状態を保持する。一方、折り畳み式黒板１０を折り畳む場合には、系止部１１ｂに設けられた固定ネジの固定を解除し、第一固定部材３１を矢印３１ｂ方向にスライドさせ、第一固定部材３１を第五枠材１５ａの孔１５ａ１から引き出し、第三ヒンジ２３及び第六ヒンジ２６を折り畳み可能にする。
【００２５】
第二固定部材３２は、第四板材１４の裏面において、第四枠材１４ａの孔１４ａ１と系止部１４ｂとにスライド可能に設けられている。また、第二固定部材３２は、系止部１４ｂに設けられた固定ネジで固定される。折り畳み式黒板１０を展開して使用する場合には、第二固定部材３２を矢印３２ａ方向にスライドさせ、第二固定部材３２を第五枠材１５ａの孔１５ａ２に挿入した状態で、系止部１４ｂに設けられた固定ネジで第二固定部材３２を固定することによって、第一ヒンジ２１及び第四ヒンジ２４の回動を阻止し、折り畳み式黒板１０を展開した状態を保持する。一方、折り畳み式黒板１０を折り畳む場合には、系止部１４ｂに設けられた固定ネジの固定を解除し、第二固定部材３２を矢印３２ｂ方向にスライドさせ、第二固定部材３２を第五枠材１５ａの孔１５ａ２から引き出し、第一ヒンジ２１及び第四ヒンジ２４を折り畳み可能にする。
【００２６】
折り畳み式黒板１０は、上記で示すように、２箇所に固定部材を設けることによって、折り畳み式黒板１０を展開した状態を保持することができる。なお、第一固定部材３１を第一板材１１と第五板材１５とに係る部分に設ける代わりに、第六ヒンジ２６の部分、第三ヒンジ２３の部分、第二板材１２と第四板材１４とに係る部分のうちの少なくとも１箇所に設けるようにしてもよい。また、第二固定部材３２を第四ヒンジ２４の部分に設ける代わりに、第一板材１１と第二板材１２とに係る第一ヒンジ２１の部分に設けるようにしてもよい。
【００２７】
また、本実施の形態では、２箇所のみに固定部材を設けているが、ヒンジ結合されている各部分に固定部材を設けるようにしてもよい。
【００２８】
次に、折り畳み式黒板１０の動作について説明する。
最初に、図１に示す折り畳み式黒板１０を展開した状態から、図５に示す折り畳み式黒板１０を折り畳んだ状態にする動作について説明する。
【００２９】
折り畳み式黒板１０を使用した後に、図５に示すように折り畳み式黒板１０を折り畳む場合、折り畳み式黒板１０の裏面５０において、系止部１１ｂ、系止部１４ｂに設けられた固定ネジの固定を解除し、第一固定部材３１を矢印３１ｂ方向にスライドさせ、第一固定部材３１を第五枠材１５ａの孔１５ａ１から引き出し、系止部１１ｂに設けられた固定ネジで第一固定部材３１を固定すると共に、第二固定部材３２を矢印３２ｂ方向にスライドさせ、第二固定部材３２を第五枠材１５ａの孔１５ａ２から引き出し、系止部１４ｂに設けられた固定ネジで第二固定部材３２を固定する。続いて、図１に示す矢印Ａの方向に、第四板材１４〜第六板材１６を回動させる。図２に、回動中の折り畳み式黒板１０を示す。
【００３０】
続いて、図３に示すように、第四枠材１４ａ〜第六枠材１６ａが、第一枠材１１ａ〜第三枠材１３ａに接する位置まで回動させた後に、第四板材１４（第三板材１３）を、図３に示す矢印Ｂの方向に移動させる。第四板材１４（第三板材１３）を、図３に示す矢印Ｂの方向に移動させるために、第四板材１４（第三板材１３）に矢印Ｂの方向の力を加えると、各板材（各枠材）が所定のヒンジで結合されているので、図４に示すように各板材（各枠材）が移動する。さらに、図４に示す矢印Ｂの方向に、第四板材１４（第三板材１３）に力を加えると、図５に示すように各板材（各枠材）が移動し、折り畳み式黒板１０を折り畳んだ状態にすることができる。つまり、上記の折り畳み動作を実行することによって、折り畳み式黒板１０の展開時の大きさの約１／４の大きさに容易に折り畳むことができる。
【００３１】
次に、図５に示す折り畳み式黒板１０を折り畳んだ状態から、図１に示す折り畳み式黒板１０を展開した状態にする動作について説明する。
【００３２】
折り畳んだ状態の折り畳み式黒板１０において、第四板材１４（第三板材１３）を、図５に示す矢印Ｃの方向に移動させるために、第四板材１４（第三板材１３）に矢印Ｃの方向の力を加える。続いて、上記で示した折り畳み動作と逆の動作を実行すると、図１に示すように各板材（各枠材）が移動し、折り畳み式黒板１０を展開した状態にすることができる。続いて、折り畳み式黒板１０の裏面５０において、系止部１１ｂ、系止部１４ｂに設けられた固定ネジの固定部材の固定を解除し、第一固定部材３１を矢印３１ａ方向にスライドさせ、第一固定部材３１を第五枠材１５ａの孔１５ａ１に挿入し、系止部１１ｂに設けられた固定ネジで第一固定部材３１を固定すると共に、第二固定部材３２を矢印３２ａ方向にスライドさせ、第二固定部材３２を第五枠材１５ａの孔１５ａ２に挿入し、系止部１４ｂに設けられた固定ネジで第二固定部材３２を固定することによって、折り畳み式黒板１０を展開した状態を保持する。
【００３３】
上記の展開動作を実行することによって、折り畳み式黒板１０を折り畳んだ状態から、簡単な操作で使用時の大きさに展開することができる。つまり、折り畳み式黒板１０の搬送時には、展開時の大きさの約１／４の大きさに容易に折り畳むことができると共に、折り畳み式黒板１０の使用時には、折り畳んだ状態から使用時の大きさに容易に展開することができる。
【００３４】
なお、上記実施の形態では、折り畳み式黒板１０を構成する部材として、板材と板枠とからなる部材を使用したが、所定の厚さを具備する板材を使用するようにしてもよく、プラスチック等の他の部材を使用するようにしてもよい。また、ヒンジとして蝶番を使用したが、２の板材をヒンジ結合することができる他のヒンジ部材を使用するようにしてもよい。
【００３５】
なお、折り畳み式黒板１０を折り畳む場合に、折り畳む手順を間違えないように、展開時には、第一固定部材３１のスライドのみが可能になるように構成し、図３に示すように、第四枠材１４ａ〜第六枠材１６ａが、第一枠材１１ａ〜第三枠材１３ａに接する位置まで回動させると、第二固定部材３２のスライドが可能となるように構成してもよい。
【００３６】
［第２の実施の形態］
図６は、本発明の第２の実施の形態である折り畳み式テーブル１００の外観を示す斜視図である。
【００３７】
折り畳み式テーブル１００は、所定の厚さを具備する板材１１１〜１１６と第一ヒンジ〜第六ヒンジ（図示せず）とからなり、折り畳み式黒板１０と同様に板材１１１〜１１６を第一ヒンジ〜第六ヒンジでヒンジ結合したものである。また、折り畳み式テーブル１００は、折り畳み式黒板１０の表示面４０に相当する面を使用面１０１とし、裏面５０に相当する面を裏面１０２とし、裏面１０２に脚部１０４ａ〜ｄの取付け部１０３ａ〜ｄを設けたものである。なお、折り畳み式テーブル１００には、折り畳み式黒板１０で示した固定部材を設けていないが、第１の実施の形態で示したように固定部材を設けるようにしてもよい。
【００３８】
このように、折り畳み式黒板１０の構造体を利用することによって、折り畳み式テーブル１００の搬送時には、展開時の大きさの約１／４の大きさに容易に折り畳むことができると共に、折り畳み式テーブル１００の使用時には、折り畳んだ状態から使用時の大きさに容易に展開することができる。
【００３９】
また、折り畳み式黒板１０の構造体は、展開時において、折り畳み式黒板１０の裏面５０側には折り畳むことができるが、表示面４０側には折り畳むことができない。このため、裏面１０２の４隅を脚部１０３ａ〜ｄで支持することによって、固定部材を設けなくても、展開状態を保持することができ、使用面１０１に食品等をおくことができる。例えば、アウトドア等の屋外で折り畳み式テーブル１００を使用する場合に、折り畳み式テーブル１００の持ち運び及び使用が容易である。
【産業上の利用可能性】
【００４０】
上記で示した折り畳み式黒板の他に、ホワイトボードや画板等の板状の筆記具、画材道具、表示具等に、本発明を適用することができる。また、上記で示した折り畳み式テーブルの他に、組立式テントの板状屋根等の板状の構造体に、本発明を適用することができる。
【図面の簡単な説明】
【００４１】
【図１】折り畳み式黒板１０の外観を示す斜視図。
【図２】折り畳み式黒板１０の外観を示す斜視図。
【図３】折り畳み式黒板１０の外観を示す斜視図。
【図４】折り畳み式黒板１０の外観を示す斜視図。
【図５】折り畳み式黒板１０の外観を示す斜視図。
【図６】折り畳み式テーブル１００の外観を示す斜視図。
【符号の説明】
【００４２】
１０……折り畳み式黒板、
１１〜１６……第一板材〜第六板材、
１１ａ〜１６ａ……第一枠材〜第六枠材、
２１〜２６……第一ヒンジ〜第六ヒンジ、
１００……折り畳み式テーブル。
【図１】
2006321049.tif 000003
【図２】
2006321049.tif 000004
【図３】
2006321049.tif 000005
【図４】
2006321049.tif 000006
【図５】
2006321049.tif 000007
【図６】
2006321049.tif 000008
【手続補正書】
【提出日】平成17年11月4日(2005.11.4)
【手続補正１】
【補正対象書類名】特許請求の範囲
【補正対象項目名】全文
【補正方法】変更
【補正の内容】
【特許請求の範囲】
【請求項１】
長方形を一の面とする板状部材である第一板材と第二板材と第三板材と第四板材と第五板材と第六板材とを具備し、
前記第一板材と前記第四板材とは、一の長方形の相似形であって当該一の長方形の略１／４の面積を有する長方形を一の面とする板状部材であり、
前記第二板材と前記第三板材と前記第五板材と前記第六板材とは、前記一の長方形の略１／４の面積を有する長方形を二分割した長方形を一の面とする板状部材であり、
前記第一板材と前記第二板材と前記第三板材とのそれぞれの一の面の長方形の一の辺が一の直線に沿うように、前記第一板材と前記第二板材と前記第三板材とを隣接して配置し、前記隣接する前記第一板材と前記第二板材とをヒンジ結合すると共に、前記隣接する前記第二板材と前記第三板材とをヒンジ結合し、
前記第四板材と前記第五板材と前記第六板材とのそれぞれの一の面の長方形の一の辺が前記一の直線に沿うと共に、前記第四板材と前記第三板材とが隣接し、前記第一板材と前記第六板材とが隣接するように、前記第四板材と前記第五板材と前記第六板材とを隣接して配置し、前記隣接する前記第四板材と前記第五板材とをヒンジ結合すると共に、前記隣接する前記第五板材と前記第六板材とをヒンジ結合し、さらに、前記隣接する前記第四板材と前記第三板材とをヒンジ結合すると共に、前記隣接する前記第一板材と前記第六板材とをヒンジ結合し、
前記第一板材と前記第二板材と前記第三板材と前記第四板材と前記第五板材と前記第六板材とのそれぞれの一の面で長方形を形成することを特徴とする構造体。
【請求項２】
前記形成される一の面の反対側の面である他の面側のみに折り畳めるように前記第一板材と前記第二板材とをヒンジ結合する第一ヒンジと、
前記形成される一の面側のみに折り畳めるように前記第二板材と前記第三板材とをヒンジ結合する第二ヒンジと、
前記他の面側のみに折り畳めるように前記第三板材と前記第四板材とをヒンジ結合する第三ヒンジと、
前記他の面側のみに折り畳めるように前記第四板材と前記第五板材とをヒンジ結合する第四ヒンジと、
前記形成される一の面側のみに折り畳めるように前記第五板材と前記第六板材とをヒンジ結合する第五ヒンジと、
前記他の面側のみに折り畳めるように前記第六板材と前記第一板材とをヒンジ結合する第六ヒンジと、
を有することを特徴とする請求項１に記載の構造体。
【請求項３】
前記第一板材と前記第二板材と前記第三板材と前記第四板材と前記第五板材と前記第六板材とのそれぞれの一の面で長方形が形成されている場合に、前記第一ヒンジ及び前記第四ヒンジと、前記第三ヒンジ及び前記第六ヒンジとを固定するヒンジ固定手段を有することを特徴とする請求項２に記載の構造体。
【請求項４】
前記形成される一の面は、筆記体によって記録が可能な表示面であり、
前記構造体は、折り畳み式表示具であることを特徴とする請求項１乃至請求項３のいずれか１項に記載の構造体。
【請求項５】
前記他の面の四隅には、脚部を取付ける取付部が設けられ、
前記構造体は、折り畳み式テーブルであることを特徴とする請求項２または請求項３に記載の構造体。
【請求項６】
前記第一板材と前記第二板材と前記第三板材と前記第四板材と前記第五板材と前記第六板材とのそれぞれが有する頂角のうちの少なくとも１の頂角が、面取り加工、または丸み加工されていることを特徴とする請求項１乃至請求項５のいずれか１項に記載の構造体。
【手続補正２】
【補正対象書類名】明細書
【補正対象項目名】０００９
【補正方法】変更
【補正の内容】
【０００９】
本発明は、例えば、図１〜５に示すように、長方形を一の面とする板状部材である第一板材１１と第二板材１２と第三板材１３と第四板材１４と第五板材１５と第六板材１６とを具備し、第一板材１１の一の面と第四板材１４の一の面との大きさが略同一であり、第二板材１２の一の面と第五板材１５の一の面との大きさが略同一であり、第三板材１３の一の面と第六板材１６の一の面との大きさが略同一であり、第一板材１１と第二板材１２と第三板材１３とのそれぞれの一の面の長方形の一の辺が一の直線に沿うように、第一板材１１と第二板材１２と第三板材１３とを隣接して配置し、隣接する第一板材１１と第二板材１２とをヒンジ結合すると共に、隣接する第二板材１２と第三板材１３とをヒンジ結合し、第四板材１４と第五板材１５と第六板材１６とのそれぞれの一の面の長方形の一の辺が前記一の直線に沿うと共に、第四板材１４と第三板材１３とが隣接し、第一板材１１と第六板材１６とが隣接するように、第四板材１４と第五板材１５と第六板材１６とを隣接して配置し、隣接する第四板材１４と第五板材１５とをヒンジ結合すると共に、隣接する第五板材１５と第六板材１６とをヒンジ結合し、さらに、隣接する第四板材１４と第三板材１３とをヒンジ結合すると共に、隣接する第一板材１１と第六板材１６とをヒンジ結合することを特徴とする構造体である。なお、本明細書において、長方形は、正方形を含むものとする。また、第一板材１１〜第六板材１６のそれぞれは、第一板材１１〜第六板材１６のそれぞれが有する頂角のうちの少なくとも１の頂角が、面取り加工、または丸み加工されているものを含むものとする。また、略同一は、同一及びほぼ同一を含む。
【手続補正３】
【補正対象書類名】明細書
【補正対象項目名】００１０
【補正方法】変更
【補正の内容】
【００１０】
なお、第一板材１１と第四板材１４とは、一の長方形の相似形であって当該一の長方形のほぼ１／４（略１／４）の面積を有する長方形を一の面とする板状部材であり、第二板材１２と第三板材１３と第五板材１５と第六板材１６とは、前記一の長方形のほぼ１／４（略１／４）の面積を有する長方形を二分割した長方形を一の面とする板状部材であり、第一板材１１と第二板材１２と第三板材１３と第四板材１４と第五板材１５と第六板材１６とのそれぞれの一の面で前記一の長方形を形成することが好ましい。